(57)【特許請求の範囲】
【請求項１】
電子キーとの間で相互に行われる無線信号の授受を通じて、特定のドアの解錠又は施錠を実行又は許可するスマート認証機能と、
前記電子キーに設けられたスイッチの操作を通じて送信される無線信号の受信を通じて前記ドアの解錠又は施錠を実行又は許可するワイヤレス認証機能とを備える電子キーシステムにおいて、
前記ドアは、車両ドア及びトランクであって、
車両は、前記車両ドア周辺に設定された通信エリア及び前記トランク周辺に設定された通信エリアのそれぞれに向けて無線信号を送信するとともに、前記車両ドアの施錠を始動条件として所定時間に設定されたタイマを備え、当該タイマの作動中において前記車両ドア周辺に設定された通信エリアに対して無線信号の送信を禁止することにより前記スマート認証機能の実行を禁止し前記ワイヤレス認証機能の実行のみ許可する一方で、前記タイマの作動中でも前記トランク周辺に設定された通信エリアに対して無線信号を送信することにより前記スマート認証機能及び前記ワイヤレス認証機能の双方の実行を許可する電子キーシステム。
【請求項２】
請求項１に記載の電子キーシステムにおいて、
前記車両の室内に設定された通信エリアに前記電子キーが存在する場合に、前記電子キーとの間での前記スマート認証を通じて、同車両に設けられた走行用の駆動手段の始動を許可し、
前記タイマの作動中に、前記車両の室内に設定された通信エリアに前記電子キーに対する無線信号の送信を禁止する電子キーシステム。
【発明の詳細な説明】
【技術分野】
【０００１】
本発明は、電子キーから無線送信されたＩＤコードにより電子キーのＩＤ照合を行う電子キーシステムに関する。
【背景技術】
【０００２】
近年、自動車においては、基本性能や安全性の向上はもとより、利便性の向上が求められている。そこで、こうした利便性の向上を目的として、特許文献１には、ユーザによって所持される電子キーと車載装置との間で自動的に無線通信（いわゆるスマート認証）を行い、当該無線通信が成立したことを条件としてドア錠の施解錠を自動的に行ったり、エンジンの始動を可能としたりする電子キーシステムが開示されている。
【０００３】
詳しくは、車載装置は、リクエスト信号を車両周辺及び車室内に発信し、電子キーからＩＤ信号を返信させる。そして、車載装置は、このＩＤ信号に含まれるＩＤコードと自身に設定されたＩＤコードとのＩＤ照合を実行する。車載装置は、このＩＤ照合の成立が、車外通信における成立であると判断した場合には、ドア錠を自動的に解錠させ、車内通信における成立であると判断した場合には、エンジンを始動可能な状態にする。また、車載装置は、車内通信及び車外通信におけるＩＤ照合の成立がそれぞれ確認できない場合には、車両ユーザが、車両から離れたものとして、ドア錠を自動的に施錠させる。このため、車両ユーザは、ドアの施解錠やエンジンの始動に機械キーを用いるなどの煩雑な操作が不要となり、車両の操作性が向上する。
【０００４】
なお、一般にこのような電子キーシステムでは、何らかの要因でスマート認証が好適に行われない場合があることを考慮して、電子キーに設けられたボタンを操作することにより、車載装置と無線通信を行って、ドアの施解錠を行うワイヤレス認証が可能とされている。
【先行技術文献】
【特許文献】
【０００５】
【特許文献１】特開２００１−３１１３３３号公報
【特許文献２】特開２００１−３４２７５８号公報
【発明の概要】
【発明が解決しようとする課題】
【０００６】
ところで、このような電子キーシステムでは、中継器を使った不正行為（特許文献２等参照）というものがある。この不正行為は、例えば、電子キーが車両から遠い場所に位置する際に、この電子キーを複数の中継器によって車両と繋いで電波を中継し、これら２者間の通信を成立させる行為である。よって、ユーザが気付かないところでＩＤ照合が成立されてしまうおそれがある。
【０００７】
そこで、特許文献２では、電子キー及び車両が互いに対する相対位置を算出するようにしている。電子キーは、ＩＤコードを送信する信号に車両に対する自身の相対位置を示す信号を含ませて、車両に送信する。同車両は、自身が算出した電子キーに対する自身の相対位置情報と電子キーからの相対位置情報とを比較し、双方の位置情報のずれが所定の範囲内であれば、ドアの解錠を行う。これにより、中継器を使用した不正行為が抑制される。
【０００８】
しかしながら、一般的に中継器を使用した不正行為は、車両からユーザが離れる場合に行われやすいとされている。これは、第３者が、車両とその車両の電子キーを携帯するユーザを特定しやすく、また両者間の距離が近いためである。特許文献２に記載の方法では、車両と電子キーとが位置情報を含めて通信を行うことで、不正行為を防止しようとしている。しかし、第３者がユーザや車両にどれだけ近づく必要が生じても不正行為の抑制には繋がらない。
【０００９】
本発明は、上記課題に鑑みてなされたものであり、その目的は、ユーザがドアから離れる際の中継器を使用した不正行為を抑制する電子キーシステムを提供することにある。
【課題を解決するための手段】
【００１０】
上記課題を解決するために、請求項１に記載の発明は、電子キーとの間で相互に行われる無線信号の授受を通じて、特定のドアの解錠又は施錠を実行又は許可するスマート認証機能と、前記電子キーに設けられたスイッチの操作を通じて送信される無線信号の受信を通じて前記ドアの解錠又は施錠を実行又は許可するワイヤレス認証機能とを備える電子キーシステムにおいて、  特定のドアは、車両ドア及びトランクであって、車両は、前記車両ドア周辺に設定された通信エリア及び前記トランク周辺に設定された通信エリアのそれぞれに向けて無線信号を送信するとともに、前記車両ドアの施錠を始動条件として所定時間に設定されたタイマを備え、当該タイマの作動中において前記車両ドア周辺に設定された通信エリアに対して無線信号の送信を禁止することにより前記スマート認証機能の実行を禁止し前記ワイヤレス認証機能の実行のみ許可する一方で、前記タイマの作動中でも前記トランク周辺に設定された通信エリアに対して無線信号を送信することにより前記スマート認証機能及び前記ワイヤレス認証機能の双方の実行を許可することを要旨とする。
【００１１】
スマート認証機能においては、第３者が中継器を使用することによる無線信号を中継することによって、ユーザの意志によらないところで相互無線通信を成立させ、ドアを解錠する不正行為が行われるおそれがある。この不正行為は、第３者が特定のドアとそのドアに対応する電子キーが特定しやすく、且つ両者間の距離が近い場合、すなわち、電子キーを携帯したユーザがドアから離れるときが最も行われやすいとされている。
【００１２】
そこで、同構成によれば、電子キーを携帯したユーザがドアから離れて、スマート認証の成立が終了してドアが施錠された後の所定期間は、スマート認証機能の実行を禁止する。これにより、第３者がドアとそのドアに対応する電子キーを特定して、ユーザがドアから離れるときに中継器を使用してドアと電子キーとの間の相互無線通信の成立を謀ったとしても、ドアの施錠後の所定期間はスマート認証機能の実行は禁止されている。このため、ドアは解錠されない。従って、第３者による不正行為を抑制させることができる。
【００１３】
また、ドアの施錠後の所定期間についてスマート認証機能の実行が禁止とされるのは電子キーを携帯したユーザも同様である。これでは、通信対象にすぐに戻ったとしても所定時間経過するまでは、ドアを解錠できないため、ユーザは所定時間待機しなければならない。ユーザにとっては、この待機時間が煩わしい。そこで、同構成によれば、電子キーに設けられたスイッチを操作することで、施錠された直後であってもドアの解錠を実行することができる。すなわち、電子キーを携帯したユーザの意志に応じて、ドアを解錠させることができる。
【００１５】
さらに、タイマの作動中は、車両から電子キーへ無線信号を発信しないので、電子キーが車両に近づいたとしても、スマート認証は成立しない。また、車両は、電力を消費して発信する無線信号を発信しないので、車両の消費電力を抑制することができる。
【００１７】
また、車両によっては、ドアが設けられて乗降する車室と分離された荷物を収納するためのトランクが設定されている場合がある。車内から降りたユーザが荷物を取るためにトランクのある位置まで移動する間に、ドアが施錠されタイマが始動することがある。このとき、トランクまで一緒にタイマを作動させて、スマート認証を行えなくすると、ユーザは、タイマの作動中、荷物を取れなくなる。これは、ユーザにとって非常に煩わしい。そこで、同構成によれば、ドアが施錠された際のタイマの作動中は、そのドアの周辺のみ、電子キーへの無線信号が発信されず、トランクの周辺には、これを発信できるようにしている。これにより、ユーザは、ドアがロックされ、タイマが作動中であっても、トランクへの荷物の出し入れを行うことができる。
【００１８】
請求項２に記載の発明は、請求項１に記載の電子キーシステムにおいて、前記車両の室内に設定された通信エリアに前記電子キーが存在する場合に、前記電子キーとの間での前記スマート認証を通じて、同車両に設けられた走行用の駆動手段の始動を許可し、前記タイマの作動中に、前記車両の室内に設定された通信エリアに前記電子キーに対する無線信号の送信を禁止することを要旨とする。
【００１９】
同構成によれば、ドアが施錠されたときに、タイマが始動する。このとき、第３者が中継器を使用する等して、ドアの解錠を行ったとしても、所定時間は、車両は、前記車室内に設定された通信エリアに電子キーに対する無線信号を送信しない。従って、タイマの作動中は、車室内において、車両と電子キーとの間のスマート認証が行われない。すなわち、タイマの作動中は、車両に設けられた駆動手段を駆動することができない。通常、車両のドアを施錠したユーザは、当該車両から離れることになるから、タイマの作動が終了したときには、十分に車両から離れることになる。従って、第３者が、タイマの作動が終了するのを待ってスマート認証を成立させるのは、困難となる。これにより、第３者による走行用の駆動手段が始動されるおそれが抑制されるので、車両が盗難されることを抑制することができる。
【発明の効果】
【００２２】
本発明では、ユーザがドアから離れる際の中継器を使用した不正行為を抑制する電子キーシステムを提供することができる。
【図面の簡単な説明】
【００２３】
【図１】本実施形態を示す電子キーシステムの概略構成を示すブロック図。
【図２】同実施形態における車両及び電子キーの通信エリアを示す模式図。
【図３】同実施形態におけるワイヤレス認証及びスマート認証の可能期間と、ドアのロック及びアンロック状態並びにタイマの作動時間を対応させたタイムチャート。
【発明を実施するための形態】
【００２４】
以下、本発明の電子キーシステムを車両に搭載した一実施形態を図面に従って説明する。
図１に示すように、車両１には、電子キー２が車両１に近づくと自動でＩＤ（Ｉｄｅｎｔｉｆｉｃａｔｉｏｎ）照合を実行する電子キーシステム３が設けられている。この電子キーシステム３には、実際に電子キー２の操作を行うことなくドア開閉の一連の操作過程の中でドア錠の施錠及び解錠が実行されるスマート認証システムと、電子キー２に配設されるスイッチの操作を通じて、ドア錠の施錠及び解錠が実行されるワイヤレス認証システムとがある。この電子キーシステム３では、スマート認証システムを利用して、電子キー２を操作しなくとも車内に設置されたプッシュ式のエンジンスイッチ５を押し操作するのみで車両１に搭載されたエンジン管理装置６を通じて、駆動手段としてのエンジン６ａの始動を許可する。
【００２５】
車両１には、電子キー２との間でＩＤ照合を実行する照合ＥＣＵ（Ｅｌｅｃｔｒｏｎｉｃ  Ｃｏｎｔｒｏｌ  Ｕｎｉｔ）１１が設けられている。照合ＥＣＵ１１に内蔵されるメモリ１１ａには、車両１と組みをなす電子キー２のＩＤコードが登録されている。
【００２６】
照合ＥＣＵ１１には、車両ドアの施解錠を実行するドアロック装置４ａと、荷物などを収容するトランクの蓋をなすトランクリッドの施解錠を実行するリッドロック装置４ｂとが接続されている。照合ＥＣＵ１１は、電子キー２との間でＩＤ照合が成立すると、これらドアロック装置４ａ及びリッドロック装置４ｂを作動させる。また、照合ＥＣＵ１１には、エンジン６ａの始動及び停止を管理するエンジン管理装置６が接続されている。照合ＥＣＵ１１は、電子キー２との間でＩＤ照合が成立すると、エンジン管理装置６の作動を許可する。エンジン管理装置６は、エンジンスイッチ５と接続されており、照合ＥＣＵ１１による作動の許可を得た状態で、エンジンスイッチ５がオン操作されることによって、エンジン６ａを始動させる。また、エンジン管理装置６は、エンジン６ａが始動した状態でエンジンスイッチ５がオフ操作されると、エンジン６ａを停止させる。なお、照合ＥＣＵ１１には、車両ドア及びトランクリッドの開閉を検出するカーテシスイッチ８ａ，８ｂが接続されている。照合ＥＣＵ１１は、カーテシスイッチ８ａ，８ｂを通じて車両ドア及びトランクリッドの開閉を検出する。
【００２７】
照合ＥＣＵ１１には、車外にＬＦ（Ｌｏｗ  Ｆｒｅｑｕｅｎｃｙ）帯の無線電波を発信する車外ＬＦ発信機１２と、車内にＬＦ帯の無線電波を発信する車内ＬＦ発信機１３と、ＵＨＦ（Ｕｌｔｒａ  Ｈｉｇｈ  Ｆｒｅｑｕｅｎｃｙ）帯の無線電波を受信するＵＨＦ受信機１４とが接続されている。
【００２８】
照合ＥＣＵ１１は、車外ＬＦ発信機１２及び車内ＬＦ発信機１３から電子キー２へＩＤコードの送信を要求するＬＦ帯のリクエスト信号を発信して、ＵＨＦ受信機１４にて電子キー２からのＵＨＦ帯のＩＤコードを含む応答信号を受信できるか否かを試みる。電子キー２からの応答信号を受信すると照合ＥＣＵ１１は、自身のメモリ１１ａに含まれるＩＤコードと受信した電子キー２のＩＤコードとを照合して、スマート認証の成立可否を試みる。
【００２９】
照合ＥＣＵ１１には、リクエスト信号を発信しない時間として所定時間に設定されたタイマ１１ｂが内蔵されている。この所定時間は、ユーザが降車車両から十分に離れることができる時間、本例では１分に設定されている。照合ＥＣＵ１１は、タイマ１１ｂの作動中、リクエスト信号を発信しないようにする。
【００３０】
図２に示すように、各車両ドア７及び車両１の後部に設けられるトランク９を開閉するトランクリッド１０には、車外ＬＦ発信機１２（トランクリッド１０側については図示省略）が設けられている。この車外ＬＦ発信機１２から発せられるＬＦ帯の無線電波により、各車両ドア７及びトランクリッド１０の外側周辺には車外通信エリアＳ１（図２では、運転席に対応するもののみ図示する。）及び車外通信エリアＳ３が形成されている。また、車室内のダッシュボードには、車内ＬＦ発信機１３が設けられており、この車内ＬＦ発信機１３から発せられるＬＦ帯の無線電波により、車両の室内には、運転席及び助手席を含む態様で設定された車内通信エリアＳ２が形成される。なお、図２における図示は省略するが、ダッシュボードには、ＵＨＦ受信機１４も設けられている。
【００３１】
一方、図１に示すように、電子キー２には、電子キー２の動作を統括制御する通信制御部２１が設けられている。通信制御部２１に内蔵されるメモリ２１ａには、キー固有のＩＤとしてＩＤコードが登録されている。通信制御部２１には、ＬＦ帯の無線電波を受信可能としたＬＦ受信機２２と、ＵＨＦ帯の無線電波を発信可能としたＵＨＦ発信機２３とが接続されている。
【００３２】
通信制御部２１は、車両１から発信されたＬＦ帯のリクエスト信号をＬＦ受信機２２を通じて受信すると、メモリ２１ａに記憶されている固有のＩＤコードを含ませたＵＨＦ帯の応答信号を作成して、この応答信号をＵＨＦ発信機２３を通じて車両１に向けて発信する。
【００３３】
なお、通信制御部２１には、外部から操作可能とされたドアロックスイッチ２５及びドアアンロックスイッチ２６が接続されている。通信制御部２１は、ドアロックスイッチ２５又はドアアンロックスイッチ２６が操作された場合には、メモリ２１ａに記憶されている固有のＩＤコードとともにその旨示すＵＨＦ帯のＩＤ信号を作成して、この信号をＵＨＦ発信機２３を通じて車両１に向けて発信する。
【００３４】
照合ＥＣＵ１１は、電子キー２から、ＩＤコードとともにドアロック又はドアアンロックを指示する旨示す信号をＵＨＦ受信機１４を通じて受信した場合には、まず、受信したＩＤコードと自身のメモリ１１ａに記憶されたＩＤコードとのＩＤ照合を行う。ＩＤ照合が成立した場合には、照合ＥＣＵ１１は、受信した無線信号の指示に従い、ドアロック装置４ａを通じて車両ドア７の施錠又は解錠を行う（ワイヤレス認証）。
【００３５】
次に、このように構成された電子キーシステム３のスマート認証の態様について説明する。説明の前提条件として、乗車時、すなわち電子キー２を携帯したユーザは車両１の外部におり、車両１の車両ドア７は施錠されているとする。
【００３６】
照合ＥＣＵ１１は、車外ＬＦ発信機１２からリクエスト信号を車外通信エリアＳ１に向けて断続的に送信する。この車外通信エリアＳ１に電子キー２が進入すると、通信制御部２１は、車両１からのリクエスト信号をＬＦ受信機２２を通じて受信する。そして、通信制御部２１は、このリクエスト信号に応じて応答信号をＵＨＦ発信機２３から車両１に向けて発信する。
照合ＥＣＵ１１は、応答信号をＵＨＦ受信機１４を通じて受信すると、その応答信号に含まれるＩＤコードと自身のメモリ１１ａに記憶されたＩＤコードとのＩＤ照合（車外ＩＤ照合）を実行する。そして、この車外ＩＤ照合が成立すると、照合ＥＣＵ１１は、ドアロック装置４ａを通じてドアロックの解錠を実行する。なお、照合ＥＣＵ１１は、車両ドア７の解錠後も、リクエスト信号を発信し、電子キー２からの応答信号を要求する。電子キー２を携帯したユーザが車両１から離れ、電子キー２が車外通信エリアＳ１から離脱した場合には、車両１と電子キー２との間におけるスマート認証が成立しなくなる。この場合、照合ＥＣＵ１１は、ユーザが車両１から離れたと判断して、ドアロック装置４ａを通じて車両ドア７を施錠する。
【００３７】
照合ＥＣＵ１１は、車両ドア７が開操作された旨示す信号をカーテシスイッチ８ａから受信すると、車外ＬＦ発信機１２に代えて車内ＬＦ発信機１３からリクエスト信号を断続的に発信させる。これにより、車内には、車内ＬＦ発信機１３からの無線電波により図２に示す車内通信エリアＳ２が形成される。そして、この車内通信エリアＳ２に電子キー２が進入して、上記車外ＩＤ照合と同様の経過を経るＩＤ照合（車内ＩＤ照合）が成立すると、照合ＥＣＵ１１は、エンジン管理装置６の始動を許可する。そして、同エンジン管理装置６は、エンジンスイッチ５がオン操作されるとエンジン６ａを始動させる。なお、エンジン６ａが作動中にエンジンスイッチ５がオフ操作されると、電子キー２が車内通信エリアＳ２内にあるなしに関わらず、エンジン６ａは停止する。
【００３８】
照合ＥＣＵ１１は、エンジン６ａが停止状態である、車両ドア７が閉状態である、及び電子キー２が車外通信エリアＳ１及び車内通信エリアＳ２内に存在しない状態である旨判断すると、車両ドア７を施錠する。
【００３９】
なお、トランクリッド１０の周辺には、エンジン６ａが停止されている間中、トランクリッド１０に設けられる車外ＬＦ発信機１２から発信されるリクエスト信号により、車外通信エリアＳ３が形成される。そして、車両ドア７の場合と同様のスマート認証を行うことにより、トランクリッド１０の施解錠が行われる。
【００４０】
図３に示すように、照合ＥＣＵ１１は、車両ドア７を施錠するタイミングでタイマ１１ｂを作動させるとともに、タイマ１１ｂの作動中、すなわち車両ドア７が施錠されてから１分間は、リクエスト信号の発信を停止して、車外通信エリアＳ１を形成しない。従って、リクエスト信号を作成するための電力消費が抑制されるとともに電子キー２が車両１に近づいたとしても、電子キー２は、車両１からリクエスト信号を受信しないので、応答信号を返信しない。つまり、タイマ１１ｂの作動中は、車両１と電子キー２との間のスマート認証が行われない。従って、第３者が、車両１とその車両１のユーザを特定したとして、車両ドア７が施錠された直後に、中継器を使用して、スマート認証の成立を試みたとしても、タイマ１１ｂの作動中はそもそもスマート認証を行っていないので、これを成立させることはできない。これにより、車内の荷物や車両１自体が盗難されるのを抑制することができる。
【００４１】
なお、タイマ１１ｂの作動中であっても、トランクリッド１０に設けられる車外ＬＦ発信機１２からは、リクエスト信号が車外通信エリアＳ３に向けて発信されている。すなわち、ユーザが、車両後方に形成された車外通信エリアＳ３に進入すると、上記スマート認証が好適に実行され、トランクリッド１０を開操作することができる。従って、トランク９に収容された荷物等に関しては、ユーザは、不自由することなく取り出すことができる。
【００４２】
タイマ１１ｂの作動中は、スマート認証が行われないので、電子キー２を携帯したユーザが車両１に近づいたとしても、車両ドア７の解錠は行われず、ユーザが車両１に乗り込むことができない。そこで、タイマ１１ｂの作動中は、電子キー２に設けられたドアアンロックスイッチ２６を操作して電子キー２と車両１との間でワイヤレス認証を行うことにより、車両ドア７の解錠を行う。
【００４３】
詳しくは、通信制御部２１は、ドアアンロックスイッチ２６が操作された旨示す信号を受信すると、ＩＤコード信号を作成し、これをＵＨＦ発信機２３から発信する。タイマ１１ｂの作動中の照合ＥＣＵ１１は、リクエスト信号を発信しないのみで、外部からの受信することは可能とされている。すなわち、照合ＥＣＵ１１は、電子キー２から発信されたＩＤコード信号を、ＵＨＦ受信機１４を通じて受信することができる。照合ＥＣＵ１１は、受信したＩＤコードと、自身のメモリ１１ａに記憶されているＩＤコードとを照合する。そして、この車外ＩＤ照合が成立すると、照合ＥＣＵ１１は、ドアロック装置４ａを通じ車両ドア７の解錠を実行する。なお、車両ドア７が解錠されたときに、タイマ１１ｂの作動は停止される。こうして、タイマ１１ｂの作動中、すなわち、スマート認証が制限されていても、ユーザは、電子キー２を操作することによって車両１とワイヤレス認証を行うことで、車両１に乗り込むことが可能となっている。従って、ユーザが車両１に乗り込めないという事態は起きない。このように、本例の構成を用いることにより、第３者による車両１内の荷物や車両１自体が盗難されるのを抑制するとともに、ユーザの意志により車両ドア７を解錠する等の操作が可能となる。
【００４４】
なお、タイマ１１ｂは、上記ワイヤレス認証によって、その作動が停止された際に、その作動時間が照合ＥＣＵ１１によりリセットされる。従って、再度車両ドア７が施錠されれば、タイマ１１ｂが設定された所定時間の１分間だけ上述のスマート認証が行われなくなる。
【００４５】
以上詳述したように、本実施形態によれば、以下に示す効果が得られる。
（１）電子キーシステム３において、第３者が、車両ドア７を解錠する場合、或いは車両１のエンジン６ａを始動する場合、車両１と電子キー２との間で行われるリクエスト信号及び応答信号の授受を成立させる必要がある。この第３者による中継器を使用した不正行為は、第３者が車両１とその車両１に対応する電子キー２とを特定しやすく、且つ両者間の距離が近い場合、すなわち、電子キー２を携帯したユーザが車両１から離れるときが最も行われやすいとされている。つまり、ユーザが車両１から離れるときに、スマート認証を行えないようにすれば、上記第３者による不正行為を抑制することができる。
【００４６】
そこで、本例では、照合ＥＣＵ１１にタイマ１１ｂを設けた。このタイマ１１ｂは、降車時等において、車両ドア７が施錠されたことを始動条件とし、１分間作動する。この１分の間、照合ＥＣＵ１１は、リクエスト信号を発信しない。これにより、車両１と電子キー２との間のスマート認証が不可となる。車両ドア７の施錠は、電子キー２を携帯したユーザが車両１から離れることにより行われる。これにより、ユーザが車両１から離れた直後における第３者による不正行為が抑制される。
【００４７】
（２）電子キー２に、ドアアンロックスイッチ２６を設けた。このドアアンロックスイッチ２６を操作すると、電子キー２からＩＤコードを発信することができる。このため、タイマ１１ｂが作動中で、スマート認証が不可であっても、ユーザの意志のもと、車両ドア７を解錠することができる。
【００４８】
（３）照合ＥＣＵ１１は、タイマ１１ｂの作動中においては、スマート認証を不可とするためにリクエスト信号を発信しないようにした。これにより、電子キー２と車両１との間のスマート認証の成立が防止されるとともに、リクエスト信号を生成、発信するための電力の消費を抑制することができる。
【００４９】
（４）タイマ１１ｂの作動中に、リクエスト信号を発信せずスマート認証を不可とするのは、車両ドア７周辺の車外通信エリアＳ１のみとし、トランクリッド１０の周辺の車外通信エリアＳ３においては、タイマ１１ｂの作動中であっても、リクエスト信号の発信を行う、すなわちスマート認証を可能とした。このため、車両ドア７から降車したユーザが、トランク９に収容した荷物などを出し入れする際も、これをスムーズに行うことができる。
【００５０】
なお、上記実施形態は以下のように変更してもよい。
・上記実施形態において、車両ドア７が施錠されタイマ１１ｂが作動したときに、リクエスト信号を発信しない範囲を、車外通信エリアＳ１に代えて車内通信エリアＳ２としてもよい。このようにすることで、タイマ１１ｂの作動中は、スマート認証によるエンジン６ａの始動が行えなくなるので、第３者による、車両１の盗難行為が抑制される。
【００５１】
・上記実施形態では、タイマ１１ｂは、車両１（照合ＥＣＵ１１）に設けたが、これに代えて、電子キー２（通信制御部２１）に設けてもよい。この場合、タイマ１１ｂの作動中は、ＵＨＦ発信機２３から応答信号を発信しないようにする。こうすれば、上記実施形態と同様に第３者による中継器を使用した不正行為を抑制させる効果を得ることができる。また、タイマ１１ｂを備える電子キー２と、これを備えない電子キー２とを設けてもよい。これにより、ユーザは、車両ドア７の施錠後にスマート認証を所定時間行うことができない安全性の高い電子キー２と、いつでも車両ドア７を解錠できるユーザの利便性が高い電子キー２とを選択して使用することができる。
【００５２】
・上記実施形態では、タイマ１１ｂの作動時間（所定時間）を１分間としたが、この所定時間は、変更してもよい。この場合、ユーザの利便性の確保、及び不正行為を抑制させる観点から、所定時間は、十数秒から数分に設定するのが好ましい。このようにすれば、上記実施形態と同様の効果を得ることができる。
【００５３】
・上記実施形態において、タイマ１１ｂの作動時間を、任意に設定できるようにしてもよい。例えば、車両に搭載されるカーナビゲーションシステムなどを利用して、タイマ１１ｂの作動時間を任意に設定する。このようにしても、第３者による中継器を使用した不正行為を行い難くできる。
【００５４】
・上記実施形態では、タイマ１１ｂの作動中であっても、車外通信エリアＳ３には、リクエスト信号を送信するようにしたが、これを、送信しないようにしてもよい。このようにすることで、トランク９に収容した荷物などが第３者によって取り出されるのを防ぐことができる。
【００５５】
・上記実施形態において、ワイヤレス認証によって、車両ドア７の施錠が行われた際においても、タイマ１１ｂを作動させてもよい。このようにしても、上記実施形態と同様の効果を得ることができる。
【００５６】
・上記実施形態では、電子キー２が車外通信エリアＳ１から出たとき自動で車両ドア７が施錠されるタイプの電子キーシステム３としたが、これに代えて、次のようなシステムに適用してもよい。すなわち、電子キー２が車外通信エリアＳ１に進入して車両との通信が成立したとき、車両ドア７の解錠が許可された状態となり、この状態で、ドアハンドルに設けられたタッチセンサに触れる、或いはアンロックスイッチが操作されると、解錠される。また、降車時、電子キー２を携帯したユーザが、ドアハンドルのロックボタンの操作を通じて車両ドア７を施錠する。この場合、タイマ１１ｂの作動開始のタイミングは、車両ドアが施錠されたときとする。タイマ１１ｂの作動中、車両からリクエスト信号は発信されない、すなわち車外ＩＤ照合は成立しないので、車外通信エリアＳ１に電子キー２が進入して、タッチセンサに触れる、或いはアンロックスイッチを操作しても、車両ドア７は解錠されない。このようにしても、上記実施形態と同様の効果を得ることができる。
【００５７】
・上記実施形態では、車両１からは、ＬＦ帯とＵＨＦ帯との２つの周波数帯の無線信号が発信されるが、どちらか一方の周波数帯の信号でのみ発信するようにしてもよい。例えば、リクエスト信号をＵＨＦ帯の電波で発信してもよい。このようにしても、上記実施形態と同様の効果を得ることができる。
【００５８】
・上記実施形態において、タイマ１１ｂは照合ＥＣＵ１１に組み込まなくてもよい。すなわち、照合ＥＣＵ１１とは別個にタイマを設けてもよい。
・上記実施形態では、タイマ１１ｂの作動中にリクエスト信号の発信を停止したが、これに代えて、応答信号の受信を停止するようにしてもよい。このようにした場合でも、上記実施形態の（１）、（２）、（４）の効果と同様の効果を得ることができる。
【００５９】
・上記実施形態の車両１は、駆動手段としてエンジン６ａを用いたが、駆動手段は、これに限らない。例えば、モータ、又はモータとエンジンとを併用するハイブリッドシステムであってもよい。
【００６０】
・上記実施形態では、タイマ１１ｂを備えた車両１（照合ＥＣＵ１１）と、電子キー２（通信制御部２１）との間でスマート認証を行う電子キーシステム３に適用した場合を例示したが、電子キーシステム３の適用先は、これに限るものではない。例えば、住宅などの玄関ドアに用いられる電子キーシステムなどに適用してもよい。このようにしても、中継器を使用した不正行為が抑制される。
【符号の説明】
【００６１】
Ｓ１，Ｓ３…車外通信エリア，Ｓ２…車内通信エリア、１…車両、２…電子キー、３…電子キーシステム、４ａ…ドアロック装置、４ｂ…リッドロック装置、５…エンジンスイッチ、６…エンジン管理装置、６ａ…エンジン、７…車両ドア、８ａ，８ｂ…カーテシスイッチ、９…トランク、１０…トランクリッド、１１…照合ＥＣＵ、１１ａ，２１ａ…メモリ、１１ｂ…タイマ、１２…車外ＬＦ発信機、１３…車内ＬＦ発信機、１４…ＵＨＦ受信機、２３…ＵＨＦ発信機、２１…通信制御部、２２…ＬＦ受信機、２５…ドアロックスイッチ、２６…ドアアンロックスイッチ。
【図１】
0005508220.tif 000002
【図２】
0005508220.tif 000003
【図３】
0005508220.tif 000004